(57)【要約】【課題】  磁気検出素子を回路基板に固着させるとともに、永久磁石を収納室に固着させることにより、接着部材の塗布が１回で済み、製造工程を簡素化できる移動物体検出装置を提供する。【解決手段】  センサ部１は、磁気検出素子５と、磁気検出素子５に磁場を与える永久磁石６と、磁気検出素子５に接続された回路基板７とを有する。ハウジング１０は、センサ部１を収納する収納室２と外部引出し用の端子３のコネクタ部４とを有する。カバー部材９は、収納室２を覆う。接着部材８は、磁気検出素子５を回路基板７に固着させるとともに、永久磁石６を前記収納室２に固着させる。【選択図】  図１
2011145188.tif 000002
【特許請求の範囲】
【請求項１】
磁気検出素子と前記磁気検出素子に磁場を与える永久磁石と前記磁気検出素子に接続された回路基板とを有するセンサ部と、前記センサ部を収納する収納室と外部引出し用の端子のコネクタ部とが一体的に樹脂によってモールド成型されたハウジングと、前記収納室を覆うカバー部材と、前記磁気検出素子を前記回路基板に固着させるとともに前記永久磁石を前記収納室に固着させる接着部材と、を備えたことを特徴とする移動物体検出装置。
【請求項２】
センサ部の収納室と外部引出し用の端子のコネクタ部とが一体的に樹脂によってモールド成型され、前記収納室をカバー部材によって覆ってなる移動物体検出装置において、
前記センサ部は、磁気検出素子と、永久磁石と、前記端子及び前記磁気検出素子を電気的に接続する回路基板とを備え、
前記収納室は前記永久磁石を配設するための凹部と、前記永久磁石に対する前記磁気検出素子の配設位置を定めるとともに、その一部分に切り欠き部が形成された枠部と、前記枠部の外方に設けられ前記回路基板を前記収納室に位置決め配置する配設部とを備え、
前記回路基板は、前記枠部が挿通する開口部と、前記端子及び前記磁気検出素子と電気的に接続される第１，第２の接続ランドとを有し、
前記永久磁石は、前記凹部にその一部分が突出するように配置されるもしくは前記凹部に埋設され、
前記回路基板は、前記開口部から前記枠部が挿通するように前記配設部に配設されるとともに、前記第１の接続ランドが前記端子に電気的に接続され、
前記磁気検出素子は、前記枠部内に配置されるとともに、前記回路基板の前記第２の接続ランドに電気的に接続され、
前記磁気検出素子上に所定量塗布される接着部材を備え、
前記接着部材は、前記カバー部材を前記収納室を覆うように本体に接着した際に、前記磁気検出素子上に配置された余剰接着部材が、前記回路基板上に広がるとともに、前記切り欠き部から前記永久磁石に達することで、前記磁気検出素子を前記回路基板に固着させ、前記永久磁石を前記凹部に固着させることを特徴とする移動物体検出装置。
【発明の詳細な説明】
【技術分野】
【０００１】
本発明は、被検出体（歯車等）の移動を検出する回転検出装置等の移動物体検出装置に関するものである。
【背景技術】
【０００２】
従来の回転検出装置は、特許文献１に開示されたものが知られている。斯かる回転検出装置は、センサ部の収納室と外部引出し用の端子のリセプタクル部とが一体的に樹脂によってモールド成型された回転検出器のセンサ本体にあって、外部引出し用の端子の中間部分を１次モールド成型したうえで、その１次モールド成型体の外側を２次モールド成型してセンサ本体を形成したものである。このような回転検出装置は、収納室と永久磁石、永久磁石とＩＣ、基板と配設部をそれぞれシリコーン系接着剤によって固定される構造である。
【先行技術文献】
【特許文献】
【０００３】
【特許文献１】特開平１１−３２５９６１号公報
【発明の概要】
【発明が解決しようとする課題】
【０００４】
しかしながら、このような回転検出装置は、シリコーン系接着剤の塗布が複数回必要になり、製造工程の増加及び複雑化を引き起こしてしまうという問題を有していた。
本発明は、この問題に鑑みなされたものであり、接着部材の塗布が１回で済み、製造工程を簡素化できる移動体検出装置を提供するものである。
【課題を解決するための手段】
【０００５】
本発明は、前記目的を達成するため、磁気検出素子５と前記磁気検出素子５に磁場を与える永久磁石６と前記磁気検出素子５に接続された回路基板７とを有するセンサ部１と、前記センサ部１を収納する収納室２と外部引出し用の端子３のコネクタ部４とが一体的に樹脂によってモールド成型されたハウジング１０と、前記収納室２を覆うカバー部材９と、前記磁気検出素子５を前記回路基板７に固着させるとともに前記永久磁石６を前記収納室２に固着させる接着部材８と、を備えたものである。
【０００６】
また、本発明は、センサ部１の収納室２と外部引出し用の端子３のコネクタ部４とが一体的に樹脂によってモールド成型され、前記収納室２をカバー部材９によって覆ってなる移動物体検出装置において、前記センサ部１は、磁気検出素子５と、永久磁石６と、前記端子３及び前記磁気検出素子５を電気的に接続する回路基板７とを備え、前記収納室２は前記永久磁石６を配設するための凹部２ａと、前記永久磁石６に対する前記磁気検出素子５の配設位置を定めるとともに、その一部分に切り欠き部２ｂが形成された枠部２ｃと、前記枠部２ｃの外方に設けられ前記回路基板７を前記収納室２に位置決め配置する配設部２ｄとを備え、前記回路基板７は、前記枠部２ｃが挿通する開口部７ａと、前記端子３及び前記磁気検出素子５と電気的に接続される第１，第２の接続ランド７ｂ，７ｃとを有し、前記永久磁石６は、前記凹部２ａにその一部分が突出するように配置されるもしくは前記凹部２ａに埋設され、前記回路基板７は、前記開口部７ａから前記枠部２ｃが挿通するように前記配設部２ｄに配設されるとともに、前記第１の接続ランド７ｂが前記端子３に電気的に接続され、前記磁気検出素子５は、前記枠部２ｃ内に配置されるとともに、前記回路基板７の前記第２の接続ランド７ｃに電気的に接続され、前記磁気検出素子５上に所定量塗布される接着部材８を備え、前記接着部材８は、前記カバー部材９を前記収納室２を覆うように本体に接着した際に、前記磁気検出素子５上に配置された余剰接着部材８ａが、前記回路基板７上に広がるとともに、前記切り欠き部２ｂから前記永久磁石６に達することで、前記磁気検出素子５を前記回路基板７に固着させ、前記永久磁石６を前記凹部２ａに固着させるものである。
【発明の効果】
【０００７】
磁気検出素子を回路基板に固着させるとともに、永久磁石を収納室に固着させることにより、接着部材の塗布が１回で済み、製造工程を簡素化できる。
【図面の簡単な説明】
【０００８】
【図１】本発明の実施形態の移動物体検出装置の断面図。
【図２】同上実施形態の移動物体検出装置の上面図。
【図３】同上実施形態の移動物体検出装置の要部拡大図。
【発明を実施するための形態】
【０００９】
以下、添付図面に基づいて、本発明を回転検出装置に適用した一実施形態を説明する。なお、図２においては、理解を助けるため、接着部材８及びカバー部材９を省略している。
回転検出装置は、センサ部１の収納室２と外部引出し用の端子３とコネクタ部４とが一体的に樹脂によってモールド成型されたものである。
【００１０】
センサ部１は、磁気検出素子５と、この磁気検出素子５に磁場を与える永久磁石６と、端子３及び磁気検出素子５を電気的に接続する回路基板７とを備えている。磁気検出素子５は、回路基板７に電気的に接続される端子部５ａを有し、カバー部材９に近接した状態にて配置される。端子３は、屈曲形成された３本のリードフレームからなり、端子３の他端部３ｂは半田によって回路基板７と電気的に接続されている。コネクタ部４は、センサ部１からの出力を外部機器へ接続伝達するものである。磁気検出素子５は、被検出体の回転に伴う磁力の変化を電気信号に変換し、端子３の一端部３ａを介して外部に出力する。
【００１１】
収納室２は、永久磁石６を配設するための凹部２ａと、永久磁石６に対する磁気検出素子５の配設位置を定める枠部２ｃと、回路基板７を位置決め配置する配設部２ｄとを備えている。枠部２には、複数の切り欠き部２ｂが形成されている。永久磁石６は、凹部２ａにその一部分が突出するように配置される。
【００１２】
回路基板７は、枠部２ｃが挿通する開口部７ａと、端子３及び磁気検出素子５と電気的に接続される第１，第２の接続ランド７ｂ，７ｃと有する。回路基板７は、開口部７ａから枠部２ｃが挿通するように配設部２ｄに配設される。回路基板７の第１の接続ランド７ｂは、端子３に電気的に接続される。磁気検出素子５は、枠部２ｃ内に配置されるとともに、回路基板７の第２の接続ランド７ｃに電気的に接続される。
【００１３】
ハウジング１０は、外部引出し用の端子３を有するコネクタ部４を一体的に成型した構造体である。ハウジング１０のコネクタ部４の反対側には収納室２を備えており、この収納室２にセンサ部１が固定されている。ハウジング１０の外周面１０ａには、環状溝部１２が形成されている。環状溝部１２は、ハウジング１０の中程に設けられている。そして、環状溝部１２には、封止部材であるＯリング１３が装着されている。カバー部材９は、円盤形状になっている。
【００１４】
接着部材８は、磁気検出素子５上に所定量塗布され、カバー部材９が収納室２を覆うようにハウジング１０に接着した際に、磁気検出素子５上に配置された余剰接着部材８ａが、回路基板７上に広がるとともに、切り欠き部２ｂから永久磁石６に達することで、磁気検出素子５を回路基板７に固着させ、永久磁石６を凹部２ａに固着させる。ハウジング１０とカバー部材９とは、レーザ溶着によって固定されている。
【００１５】
本実施形態によれば、磁気検出素子５を回路基板７に固着させるとともに、永久磁石６を収納室２に固着させることにより、接着部材８の塗布が１回で済み、回転検出装置の製造工程を簡素化できる。
なお、本発明は、本実施形態に限定されるものではなく、種々の変形が可能である。例えば、本実施形態における永久磁石６は、凹部２ａにその一部分が突出するように配置されているが、永久磁石６を凹部２ａに埋設しても良い。
【符号の説明】
【００１６】
１    センサ部
２    収納室
２ａ  凹部
２ｂ  切り欠き部
２ｃ  枠部
２ｄ  配設部
３    端子
４    コネクタ部
５    磁気検出素子
６    永久磁石
７    回路基板
７ａ  開口部
７ｂ  接続ランド
７ｃ  接続ランド
８    接着部材
８ａ  余剰接着部材
９    カバー部材
【図１】
2011145188.tif 000003
【図２】
2011145188.tif 000004
【図３】
2011145188.tif 000005